(57)【要約】      （修正有）【課題】紙製の基材シートよりなり、後面側に遮光層を有する前面投写型のペーパースクリーンにおいて、周囲の湿度が変化してもシート本体にカールが生じなく、スクリーンとしての平面性を維持して、紙が本来有する良好な映写画像品質を保持できるペーパースクリーンを提供する。【解決手段】ペーパースクリーンを構成するスクリーン本体１０を、紙製の基材シート２と、前記基材シート２の映写側と反対側である後面２ｂ側に形成される第１の親水性被膜層５１と、該第１の親水性被膜層５１の後面５１ｂ側に形成される遮光層３とを備え、更に基材シート２の映写側である前面２ａ側に形成される第２の親水性被膜層５２と、該第２の親水性被膜層５２の前面５２ａ側に形成される光反射層４により構成した。【選択図】図２
0003161538.tif 000002
【実用新案登録請求の範囲】
【請求項１】
紙製の基材シートと、
前記基材シートの映写側と反対側の後面側に形成される第１の親水性被膜層と、
該第１の親水性被膜層の後面側に形成される遮光層と、
を備えることを特徴とする前面投写型のペーパースクリーン。
【請求項２】
該基材シートの映写側である前面側に形成される第２の親水性被膜層と、該第２の親水性被膜層の前面側に形成される光反射層とを更に備えた請求項１記載のペーパースクリーン。
【請求項３】
前記基材シートが、化学パルプ配合率がほぼ１００％の上質紙よりなる請求項１又は２記載のペーパースクリーン。
【請求項４】
前記遮光層が、第１の親水性被膜層の後面側に黒インキ３色刷りのＯＰニスを印刷してなる印刷層である請求項１〜３の何れか１項に記載のペーパースクリーン。
【請求項５】
前記光反射層が、前記第２の親水性被膜層の前面側に白顔料を印刷してなる印刷層である請求項１〜４の何れか１項に記載のペーパースクリーン。
【請求項６】
前記基材シートに各層を積層してなるスクリーン本体の上縁辺及び下縁辺に沿って、それぞれ筒状又は棒状の紙製支持材を設け、上縁辺側の紙製支持材に、壁やスタンド等の支持部位への吊下げ部を設け、スクリーン収納時に、下縁辺側の紙製支持材のうえに前記スクリーン本体が手動で巻き付けられる請求項１〜５の何れか１項に記載の携帯型のペーパースクリーン。
【請求項７】
スクリーン収納時に、上縁辺側の紙製支持材と、これに隣接する位置まで前記スクリーン本体を巻き付けた下縁辺側の紙製支持材とを、該隣接状態に保持する保持バンドを設けた請求項６記載のペーパースクリーン。
【考案の詳細な説明】
【技術分野】
【０００１】
本考案は、紙製の基材シートよりなり、後面側に遮光層を有する前面投写型のペーパースクリーンに関する。
【背景技術】
【０００２】
この種のペーパースクリーンとしては、従来、四辺形からなるシート状のスクリーン本体と、前記スクリーン本体が挿通される幅のスリットを備えた２個の管体と、前記スクリーン本体の対向する二辺の縁部に固定され、前記スリットより大きい厚さを有する帯状のプレートとを備え、前記スクリーン本体の対向する二辺の縁部を前記管体の端部から前記管体内部に挿入することにより、前記スクリーン本体の対向する二辺が前記管体に保持されることを特徴とするスクリーンにおいて、スクリーン本体、管体、フレームのいずれもを紙製としたペーパースクリーンが提案されている（特許文献１）。
【０００３】
紙は良好な拡散性を有し、且つ天然素材でリサイクル率が高いという特徴を有しているため近年着目されており、上記特許文献１のようにすべてを紙製として軽く取り扱いが容易であり、持ち運びも便利となる。また、スクリーンが軽いと天井や壁などにスクリーンを取り付けた際、天井や壁が受ける荷重が小さくてすむ。そのうえ、紙以外の合成樹脂や金属を使用した場合に比べて、紙の原価が一般に安いためスクリーンの製造原価を安く抑えることができる。また、可燃物として廃却できる上、焼却しても有毒ガスが発生する畏れがない。従って、廃却により周囲環境に悪影響を与える畏れが少なくてすむ。
【０００４】
そして、このような紙製の基材シートより構成されたペーパースクリーンの場合には特に、プロジェクタから投影された映像を裏面に逃がしてしまう光の損失を抑制するために、裏面側に黒色塗装などの遮光層が形成される。このような黒色塗装により光の損失を抑制して映像の鮮明度を向上させることができるほか、裏面からの光の侵入を防いで映像が白くぼやけることをも防止できる（上記特許文献１の明細書段落００３３参照）。
【０００５】
ところで、紙は湿気を吸いやすい性質を持っているが、上記のように裏面側にのみ黒色塗装した遮光層があると、ない場合に比べて湿気の流通（吸収／放出）がある程度阻害されることから、周囲の湿度によって基材シートの前面側と裏面側とで湿度の偏りが生じ、伸縮度合いが異なるためにスクリーン本体が一方向にカールしてしまう問題があった。このようなカールが生じると、スクリーンとしての平面性が悪化し、映写画像がひずみ、映写画像品質が低下するという問題があった。
【先行技術文献】
【特許文献】
【０００６】
【特許文献１】特開２００６−１２６８１３号公報
【考案の概要】
【考案が解決しようとする課題】
【０００７】
そこで、本考案が前述の状況に鑑み、解決しようとするところは、紙製の基材シートよりなり、後面側に遮光層を有する前面投写型のペーパースクリーンにおいて、周囲の湿度が変化してもシート本体にカールが生じなく、スクリーンとしての平面性を維持して、紙が本来有する良好な映写画像品質を保持できるペーパースクリーンを提供する点にある。
【課題を解決するための手段】
【０００８】
本考案は、前述の課題解決のために、紙製の基材シートと、前記基材シートの映写側と反対側の後面側に形成される第１の親水性被膜層と、該第１の親水性被膜層の後面側に形成される遮光層とを備えることを特徴とする前面投写型のペーパースクリーンを構成した（請求項１）。
【０００９】
ここで、該基材シートの映写側である前面側に形成される第２の親水性被膜層と、該第２の親水性被膜層の前面側に形成される光反射層とを更に備えたものが好ましい（請求項２）。
【００１０】
また、前記基材シートが、化学パルプ配合率がほぼ１００％の上質紙よりなるものが好ましい（請求項３）。
【００１１】
更に、前記遮光層が、第１の親水性被膜層の後面側に黒インキ３色刷りのＯＰニスを印刷してなる印刷層であるものが好ましい（請求項４）。
【００１２】
また、前記光反射層が、前記第２の親水性被膜層の前面側に白顔料を印刷してなる印刷層であるものが好ましい（請求項５）。
【００１３】
また、前記基材シートに各層を積層してなるスクリーン本体の上縁辺及び下縁辺に沿って、それぞれ筒状又は棒状の紙製支持材を設け、上縁辺側の紙製支持材に、壁やスタンド等の支持部位への吊下げ部を設け、スクリーン収納時に、下縁辺側の紙製支持材のうえに前記スクリーン本体が手動で巻き付けられる携帯型のペーパースクリーンとしたものが好ましい（請求項６）。
【００１４】
ここで特に、スクリーン収納時に、上縁辺側の紙製支持材と、これに隣接する位置まで前記スクリーン本体を巻き付けた下縁辺側の紙製支持材とを、該隣接状態に保持する保持バンドを設けたものが好ましい（請求項７）。
【考案の効果】
【００１５】
請求項１に係るペーパースクリーンによれば、紙製の基材シートと後面側の遮光層との間に第１の親水性被膜層が介在することにより、該親水性被膜層が後面側との湿気の吸収／放出を促進し、前面側とのバランスを図ることができる。つまり、基材シート後面側の湿気の流通性が高まることにより前面側との湿度の偏りを無くすることができ、これにより前面側と後面側の伸縮度合いのバランスがとれてカールが防止される。具体的には、例えば周囲環境の湿度が上がった場合、紙製の基材シート前面側からは湿気が吸収されるが、後面側でも第１の親水性被膜層により遮光層を通じた湿気の吸収が促進される。また、前面側から吸収された湿気も第１の親水性被膜層に吸収促進され、基材シート内の湿気の偏りが確実に防止される。逆に、周囲環境の湿度が下がった場合には、前面側から湿気が放出されるとともに、後面側でも第１の親水性被膜層により遮光層を通じた湿気の放出が促進され、加えて第１の親水性被膜層自体が基材シート内の湿気を後面側から積極的に吸着して基材シート内の湿気の偏りが確実に防止される。このように親水性被膜層を設けることで周囲環境との湿気の流通性を高め、カールを未然に防止してスクリーンとしての平面性を維持し、使用環境の湿度に左右されずに紙が本来有する良好な映写画像品質を安定して保持できるのである。
【００１６】
また、紙製の基材シートからなるので、従来のペーパースクリーンと同様、材料コストが安く、加工性、組み付け性もよく、製造コストが低減できるとともに、リサイクル率が高く、軽く取り扱いが容易であり、持ち運びも便利である。また、不要となった場合にはユーザ側で可燃物として容易に焼却処分することができ、製造メーカー等は回収して管理やメンテナンス等する必要がなく、ユーザが使用後に容易に処分できる１ｗａｙ化した普及しやすいものとすることができる。
【００１７】
請求項２に係る考案によれば、基材シートとその前面側に形成される光反射層との間に第２の親水性被膜層を介在させたので、光反射層の存在にかかわらず当該前面側の湿気の吸収／放出を裏面側と同様、促進して湿気の流通性を維持し、基材シートの前後面のバランスを図ることができる。また、このような考案によれば基材シートの前後面にそれぞれ親水性被膜層が存在するため前後の湿気の流通のバランスがより向上し、周囲環境の湿度が変化しても基材シート内の湿度の偏りを無くして伸縮度合いのバランスをとり、カールがより確実に防止される。
【００１８】
請求項３に係る考案によれば、基材シートが化学パルプ配合率がほぼ１００％の上質紙よりなるので、再生紙には求めることができない毛足の長い繊維により高い平面性が維持され、良好な映写画像品質を保持できる。
【００１９】
請求項４に係る考案によれば、遮光層が第１の親水性被膜層の後面側に黒インキ３色刷りのＯＰニスを印刷してなる印刷層であるので、裏側への光抜けを防止し、高いゲインを確保できる。
【００２０】
請求項５に係る考案によれば、光反射層が第２の親水性被膜層の前面側に白顔料を印刷してなる印刷層であるので、光の拡散性を均一にし、いわゆる一般のホワイトマットスクリーン同等以上の画像再現が可能となる。
【００２１】
請求項６に係る考案によれば、基材シートに各層を積層してなるスクリーン本体の上縁辺及び下縁辺に沿って、それぞれ筒状又は棒状の紙製支持材を設け、上縁辺側の紙製支持材に、壁やスタンド等の支持部位への吊下げ部を設け、スクリーン収納時に、下縁辺側の紙製支持材のうえに前記スクリーン本体が手動で巻き付けられる携帯型のペーパースクリーンとしたので、特許文献１のような取替え用ではなくそれ自体で手軽な携帯用スクリーンとして使用でき、例えばプロジェクターと一緒に持ち歩くモバイル用途、イベント用、講習会用して好適に使用できる。また、基材シートのみならず上下の支持材も紙製であるため、スクリーンが不要となった場合に全体をそのまま可燃物として容易に焼却処分できるとともに、さらなる製造コストの低減、軽量化を図ることができる。
【００２２】
請求項７に係る考案によれば、スクリーン収納時に、上縁辺側の紙製支持材と、これに隣接する位置まで前記スクリーン本体を巻き付けた下縁辺側の紙製支持材とを、該隣接状態に保持する保持バンドを設けたので、別途の収納容器を用意しなくても安定した収納状態を維持でき、コストを抑えつつ可搬性に優れた携帯型ペーパースクリーンを提供できる。
【図面の簡単な説明】
【００２３】
【図１】本考案の代表的実施形態に係るペーパースクリーンの展開状態を示す斜視図。
【図２】同じくペーパースクリーンのスクリーン本体の積層構造を示す説明図。
【図３】同じくペーパースクリーンの収納状態を示す斜視図。
【考案を実施するための形態】
【００２４】
次に、本考案の実施形態を添付図面に基づき詳細に説明する。
【００２５】
図１は、本考案に係るペーパースクリーンの全体構成を示す斜視図であり、図２は、そのスクリーン本体の積層構造を示す説明図である。図中符号１はペーパースクリーン、１０はスクリーン本体、１１，１２は上下の紙製支持材、２は基材シート、３は遮光層、４は光反射層、５１、５２は前後の親水性被膜層をそれぞれ示している。
【００２６】
ペーパースクリーン１は、図１に示すように、基材シートに各層を積層してなるスクリーン本体１０の上縁辺及び下縁辺に沿って、それぞれ筒状又は棒状の紙製支持材１１，１２が設けられている。上縁辺側の紙製支持材１１には壁やスタンド等の支持部位への吊下げ部１３が設けられている。そしてスクリーン収納時には、下縁辺側の紙製支持材１２のうえにスクリーン本体１０を手動で巻き取ることにより収納される。本考案では、特にこのペーパースクリーン１を構成するスクリーン本体１０を、図２に示すように、紙製の基材シート２と、前記基材シート２の映写側と反対側である後面２ｂ側に形成される第１の親水性被膜層５１と、該第１の親水性被膜層５１の後面５１ｂ側に形成される遮光層３とを備え、更に基材シート２の映写側である前面２ａ側に形成される第２の親水性被膜層５２と、該第２の親水性被膜層５２の前面５２ａ側に形成される光反射層４とより構成したことを特徴としている。
【００２７】
本実施形態のペーパースクリーン１は、スクリーン本体１０、紙製支持材１１、１２のすべてが紙製とされ、手巻き式の簡易な構造で低コストに作製でき、軽量で携帯性に非常に優れている。例えば６０型（横１２９２ｍｍ×縦８０８ｍｍ）でわずか５６０ｇであり、軽量でプッシュピン１本で壁付けが可能で、簡単に持ち運べるため機動性が高い。また、焼却は勿論、回収して古紙として再利用可能とされている。本例では掛図型であるが、その他の構成でも勿論よい。また、遮光層３が映像の鮮明度を向上させるとともに光反射層４が輝度の均一を図る等の機能を実現し、しかも紙製の基材シート２とこれら遮光層３や光反射層４との間には親水性被膜層５１、５２がそれぞれ介在しているため、周囲環境の湿度が変化しても基材シート２内の湿度の偏りが生じず、カールを未然に防止し、高い平面性を維持して優れた映写画像品質を安定保持するのである。
【００２８】
尚、本実施形態ではこのように上下の紙製支持材１１を設けた携帯型のペーパースクリーン１について説明するが、本考案ではスクリーン本体以外の構造については、その他の公知の各種前面投写型スクリーン（携帯型、設置型など）の形態に構成できる。
【００２９】
スクリーン本体１０は、図２に示すように、裏面側から順に、遮光層３、第１の親水性被膜層５１、基材シート２、第２の親水性被膜層５２、光反射層４を備えている。本例では、光反射層４を備えることから第２の親水性被膜層５２も設けているが、光反射層４を設けないことも可能であり、その場合には、第２の親水性被膜層５２も省略することが可能である。本例の親水性被膜層５１、５２は、基材シート２の前後面に直接形成されていることが好ましい。遮光層３と親水性被膜層５１の間、及び光反射層４と第２の親水性被膜層５２の間は、勿論別の層が存在せずに直接印刷等で形成されることが好ましいが、それぞれ別の層が存在してもよい。
【００３０】
遮光層３は、第１の親水性被膜層５１の後面５１ｂの全面に黒インキ３色刷りのＯＰニスを印刷してなる遮光プリント層（印刷層）であり、裏面側への光抜けを防止するものである。この遮光層３については、その他、従来から前面投写型のペーパースクリーンの裏面側に形成されていた公知の遮光層を採用でき、その層厚も特に限定されない。
【００３１】
親水性被膜層５１は、遮光層３の存在にもかかわらず基材シート２後面側の湿気の流通を促進するためのものであり、遮光層３を通じた湿気の吸収／放出を促進し、前面側とのバランスを図る層である。具体的には、ビニル系やセルロース系、動植物系などの水溶性高分子物質を単独又は組み合わせて基材シート２後面２ｂの全面に塗布・乾燥させたものなどが好適であるが、その他の水溶性高分子物質を利用できる。その層厚は、基材シート２の厚さ等に応じて適宜設定できる。
【００３２】
基材シート２は、化学パルプ配合率がほぼ１００％の上質紙よりなる矩形状のベース原紙であり、その縦横の寸法は適宜設定できる。本例では前記上質紙を採用することで毛足の長い繊維により高い平面性が維持することとしているが、本考案はこれに限定されず、他の紙、例えば再生紙などでも可能である。厚さも用途に応じて適宜設定される。
【００３３】
親水性被膜層５２は、基材シート２の前面２ａの全面に形成されて光反射層４の下地となるものであり、親水性被膜層５１と同様、光反射層４の存在にかかわらず基材シート２前面側の湿気の流通を促進するためのものであり、該光反射層４を通じた湿気の吸収／放出を促進し、後面側とのバランスを図る層である。具体的な材料についても上記した親水性被膜層５１と同じであり、層厚も基材シート２の厚さ等に応じて適宜設定される。
【００３４】
光反射層４は、親水性被膜層前面５２ａの全面に白顔料を印刷してなる反射プリント層（印刷層）であり、いわゆる従来から公知の拡散マットニス処理である。これは紙製基材シート表面の凹凸を無くして、輝度の均一を図るものであり、また、汚れ防止のためでもある。本例では、拡散型として５°ゲイン０．８の高輝度を実現している。この光反射層４は、その他、従来から前面投写型のペーパースクリーンの前面に形成されていた公知の光反射層を採用でき、その層厚も特に限定されない。
【００３５】
スクリーン本体１０の上縁辺、下縁辺の各紙製支持材１１、１２は、いずれも紙製の筒状部材の両端にキャップ１１ｃ、１２ｃを装着したものである。スクリーン使用時には、図１に示すようにスクリーン本体１０の展開状態で、下縁辺の紙製支持材１２がおもりとなってスクリーン本体１０を安定した展開状態に張った状態に維持する。スクリーン収納時には、図３に示すように、上縁辺側の紙製支持材１１と、これに隣接する位置までスクリーン本体１０を巻き付けた下縁辺側の紙製支持材１２とを、当該隣接状態のまま保持するための保持バンド１４が別途設けられる。このような保持バンド１４の代わりに別途の格納容器を用いてもよい。保持バンド１４は面ファスナー付きの帯状部材からなり、予め紙製支持材１１又は１２に固定したものでもよい。また、保持バンド１４の代りに紐等を用いてもよい。
【００３６】
以上、本考案の実施形態について説明したが、本考案はこうした実施例に何ら限定されるものではなく、本考案の要旨を逸脱しない範囲において種々なる形態で実施し得ることは勿論である。
【符号の説明】
【００３７】
１  ペーパースクリーン
２  基材シート
２ａ  前面
２ｂ  後面
３  遮光層
４  光反射層
１０  スクリーン本体
１１，１２  紙製支持材
１１ｃ，１２ｃ  キャップ
１３  吊下げ部
１４  保持バンド
５１，５２  親水性被膜層
５１ｂ  後面
５２ａ  前面
【図１】
0003161538.tif 000003
【図２】
0003161538.tif 000004
【図３】
0003161538.tif 000005
【手続補正書】
【提出日】平成22年5月31日(2010.5.31)
【手続補正１】
【補正対象書類名】実用新案登録請求の範囲
【補正対象項目名】全文
【補正方法】変更
【補正の内容】
【実用新案登録請求の範囲】
【請求項１】
紙製の基材シートと、
前記基材シートの映写側と反対側の後面側に形成される第１の親水性被膜層と、
該第１の親水性被膜層の後面側に形成される遮光層と、
を備えることを特徴とする前面投写型のペーパースクリーン。
【請求項２】
該基材シートの映写側である前面側に形成される第２の親水性被膜層と、該第２の親水性被膜層の前面側に形成される光反射層とを更に備えた請求項１記載のペーパースクリーン。
【請求項３】
前記基材シートが、化学パルプ配合率がほぼ１００％の上質紙よりなる請求項１又は２記載のペーパースクリーン。
【請求項４】
前記遮光層が、第１の親水性被膜層の後面側に黒インキ３色刷りのＯＰニスを印刷してなる印刷層である請求項１〜３の何れか１項に記載のペーパースクリーン。
【請求項５】
前記光反射層が、前記第２の親水性被膜層の前面側に白顔料を印刷してなる印刷層である請求項２記載のペーパースクリーン。
【請求項６】
前記基材シートに各層を積層してなるスクリーン本体の上縁辺及び下縁辺に沿って、それぞれ筒状又は棒状の紙製支持材を設け、上縁辺側の紙製支持材に、支持部位への吊下げ部を設け、スクリーン収納時に、下縁辺側の紙製支持材のうえに前記スクリーン本体が手動で巻き付けられる請求項１〜５の何れか１項に記載の携帯型のペーパースクリーン。
【請求項７】
スクリーン収納時に、上縁辺側の紙製支持材と、これに隣接する位置まで前記スクリーン本体を巻き付けた下縁辺側の紙製支持材とを、該隣接状態に保持する保持バンドを設けた請求項６記載のペーパースクリーン。